(57)【要約】【課題】充放電可能なバッテリーを収納するバッテリーモジュールを直管型ＬＥＤランプ内に着脱可能に設置することで、直管型ＬＥＤランプからバッテリーモジュールを分離してバッテリーを交換可能にする。【解決手段】無停電直管型ＬＥＤランプ１０は、半円柱状の放熱胴体１１と、放熱胴体１１の一面上のＬＥＤ光源モジュール１２と、円弧断面状とを備え、ＬＥＤ光源モジュール１２を覆い、放熱胴体１１と結合して丸い棒状を形成する拡散カバー１５と、放熱胴体１１の中空部に収納され、ＬＥＤ光源モジュール１２に接続される駆動回路モジュール１６と、駆動回路モジュール１６に着脱可能に接続され、充放電可能なバッテリー３０を収納するバッテリーモジュール１３と、放熱胴体１１の長手方向の末端部に配置された電源入力端子１４３を備えるランプソケット１４とを含む。【選択図】図２
2015220222.tif 000002
【特許請求の範囲】
【請求項１】
半円柱状の放熱胴体と、
前記放熱胴体の一面上のＬＥＤ（Ｌｉｇｈｔ−ＥＭＩｔｔｉｎｇ  Ｄｉｏｄｅ）光源モジュールと、
円弧断面状を備え、前記ＬＥＤ光源モジュールを覆い、前記放熱胴体と結合して丸い棒状を形成する拡散カバーと、
前記放熱胴体の中空部に収納され、前記ＬＥＤ光源モジュールに接続される駆動回路モジュールと、
前記駆動回路モジュールに着脱可能に接続され、充放電可能なバッテリーを収納するバッテリーモジュールと、
前記放熱胴体の長手方向の末端部に配置された電源入力端子を備えるランプソケットと
を含む無停電直管型ＬＥＤランプ。
【請求項２】
前記バッテリーモジュールは、
前記放熱胴体の中空部に着脱可能に挿入され、前記バッテリーが着脱可能に収納される安着空間を備えるバッテリーケースと、
前記バッテリーケースの前記安着空間に露出され、前記バッテリーが収納される時、前記バッテリーと電気的に接続されるバッテリー端子と、
前記バッテリー端子と前記駆動回路モジュールを接続するバッテリー配線と、
前記バッテリー配線の中間部分に配置され、前記バッテリー端子に接続される第１のコネクタ及び前記駆動回路モジュールに接続され、前記第１のコネクタと着脱可能に結合する第２のコネクタを備える配線コネクタと
を備える請求項１に記載の無停電直管型ＬＥＤランプ。
【請求項３】
前記バッテリー配線は、前記バッテリー端子に接続される第１の配線と前記第２のコネクタに接続される第２の配線を備え、
前記バッテリーモジュールは、前記第１の配線と前記第２の配線との間に配置され、前記バッテリーの充放電を制御する充放電制御回路をさらに備える
請求項２に記載の無停電直管型ＬＥＤランプ。
【請求項４】
前記充放電制御回路は、前記第２の配線に印加される入力電圧または入力電流を感知するセンサを備え、前記センサに感知される前記入力電圧または入力電流が基準電圧または基準電流より小さい時、前記バッテリーの電源を前記駆動回路モジュールに供給するように動作する請求項３に記載の無停電直管型ＬＥＤランプ。
【請求項５】
前記バッテリーモジュールは、前記第２の配線の中間に直列接続されるバッテリー保護回路及びスィッチをさらに備える請求項３に記載の無停電直管型直管型ＬＥＤランプ。
【請求項６】
前記第１のコネクタ、前記充放電制御回路、前記バッテリー保護回路、及び前記スィッチのうち、少なくともいずれか一つは前記バッテリーケースに一体に搭載される請求項５に記載の無停電直管型ＬＥＤランプ。
【請求項７】
前記ランプソケットは、
前記電源入力端子を備えた第１のソケットと、
前記放熱胴体で前記第１のソケットの反対側に位置する第２のソケットと
を備え、
前記第２のソケットは、前記電源入力端子と同一な形態のダミー端子を備え、
前記バッテリーモジュールは、前記第２のソケットと一体に結合する
請求項１乃至６のいずれか一項に記載の無停電直管型ＬＥＤランプ。
【請求項８】
半円柱状の放熱胴体と、
前記放熱胴体の一面上のＬＥＤ（Ｌｉｇｈｔ−ＥＭＩｔｔｉｎｇ  Ｄｉｏｄｅ）光源モジュールと、
円弧断面状を備え、前記ＬＥＤ光源モジュールを覆い、前記放熱胴体と結合して丸い棒状を形成する拡散カバーと、
前記放熱胴体の中空部に収納され、前記ＬＥＤ光源モジュールに接続される駆動回路モジュールと、
前記駆動回路モジュールに接続され、充放電可能なバッテリーを着脱可能に収納するバッテリーモジュールと、
前記放熱胴体の長手方向の末端部に配置された電源入力端子を備えるランプソケットと、
前記バッテリーを前記放熱胴体の外部に露出させる前記放熱胴体の開口部と、
前記開口部を覆う蓋と、
前記蓋を前記開口部上に固定する締結部材と
を含む無停電直管型ＬＥＤランプ。
【請求項９】
前記バッテリーモジュールは、
前記放熱胴体の中空部に挿入されて固定され、前記バッテリーが着脱可能に収納される安着空間を備えるバッテリーケースと、
前記バッテリーケースの前記安着空間に露出され、前記バッテリーが収納される時、前記バッテリーと電気的に接続されるバッテリー端子と、
前記バッテリー端子と前記駆動回路モジュールを相互接続するバッテリー配線と    を含む請求項８に記載の無停電直管型ＬＥＤランプ。
【請求項１０】
前記締結部材は、前記開口部の縁部と前記蓋の縁部との間に挟まれる弾性部材を含む請求項８に記載の無停電ＬＥＤランプ。
【請求項１１】
前記蓋は、第１の突起を備え、前記開口部の縁部に配置される前記放熱胴体の第１の溝と結合してヒンジ運動する請求項８に記載の無停電直管型ＬＥＤランプ。
【請求項１２】
前記ランプソケットは、
前記電源入力端子を備えた第１のソケットと、
前記放熱胴体で前記第１のソケットの反対側に位置する第２のソケットと
を備え、
前記第２のソケットは、前記電源入力端子と同一な形態のダミー端子を備え、
前記バッテリーモジュールは、前記第２のソケットと一体に結合する
請求項８乃至１１のいずれか一項に記載の無停電直管型ＬＥＤランプ。
【請求項１３】
前記バッテリー配線は、前記バッテリー端子に接続される第１の配線と前記第２のコネクタに接続される第２の配線を備え、
前記バッテリーモジュールは、前記第１の配線と前記第２の配線との間に配置され、前記バッテリーの充放電を制御する充放電制御回路をさらに備える
請求項１２に記載の無停電直管型ＬＥＤランプ。
【請求項１４】
前記充放電制御回路は、前記第２の配線に印加される入力電圧または入力電流を感知するセンサを備え、前記センサに感知される前記入力電圧または入力電流が基準電圧または基準電流より小さい時、前記バッテリーの電源を前記駆動回路モジュールに供給するように動作する請求項１３に記載の無停電直管型ＬＥＤランプ。
【請求項１５】
前記バッテリーモジュールは、前記第２の配線の中間に直列接続されるバッテリー保護回路をさらに備える請求項１３に記載の無停電直管型ＬＥＤランプ。
【請求項１６】
前記バッテリーモジュールは、
前記放熱胴体の中空部に着脱可能に挿入されるバッテリーパックと、
前記バッテリーパックと第１の配線を介して接続される充放電制御回路と、
前記充放電制御回路と第２の配線を介して接続され、前記駆動回路モジュールの第２のコネクタと着脱可能に結合する第１のコネクタと、
前記放熱胴体の中空部内で前記バッテリーパックを支持する固定部材と
を備える請求項８に記載の無停電直管型ＬＥＤランプ。
【請求項１７】
前記固定部材は、前記バッテリーパックを少なくとも部分的に取り囲む弾性部材を含み、前記弾性部材は前記放熱胴体の中空部と前記バッテリーパックとの間で弾性的に圧縮される請求項１６に記載の無停電直管型ＬＥＤランプ。
【請求項１８】
前記ランプソケットは、
前記電源入力端子を備えた第１のソケットと、
前記放熱胴体で前記第１のソケットの反対側に位置する第２のソケットと
を備え、
前記第２のソケットは、前記電源入力端子と同一な形態のダミー端子を備え、
前記バッテリーパックは、前記第２のソケットと一体に結合する
請求項１６に記載の無停電直管型ＬＥＤランプ。
【請求項１９】
前記第２のソケットは、前記バッテリーパックを安着させるための安着空間を含む内部突出構造を備える請求項１８に記載の無停電直管型ＬＥＤランプ。
【請求項２０】
前記駆動回路モジュールは、前記電源入力端子と前記ＬＥＤ光源モジュールに接続される第１の電源回路を含み、
前記バッテリーモジュールは、前記第１の電源回路から前記バッテリーに印加される入力電圧が基準電圧より小さい時、前記バッテリーの電源を前記ＬＥＤ光源モジュールに供給する第２の電源回路を含む
請求項１または８に記載の無停電直管型ＬＥＤランプ。
【発明の詳細な説明】
【技術分野】
【０００１】      本発明は、直管型ＬＥＤ（Ｌｉｇｈｔ−ＥＭＩｔｔｎｇ  Ｄｉｏｄｅ）ランプに関し、より詳しくは、バッテリー内蔵型の無停電直管型ＬＥＤランプに関する。
【背景技術】
【０００２】
【先行技術文献】
【特許文献】
【０００３】
【特許文献１】大韓民国公開特許公報第２０１４−００２３９０１号
【発明の概要】
【発明が解決しようとする課題】
【０００４】      本発明の一実施例では、充放電可能なバッテリーを収納するバッテリーモジュールを直管型ＬＥＤ（Ｌｉｇｈｔ−ＥＭＩｔｔｉｎｇ  Ｄｉｏｄｅ）ランプ内に着脱可能に設置することができ、直管型ＬＥＤランプからバッテリーモジュールを分離してバッテリーを交換できる無停電直管型ＬＥＤランプを提供しようとする。【０００５】      本発明の他の実施例では、充放電可能なバッテリーを着脱可能に収納するバッテリーモジュールを直管型ＬＥＤランプ内に設置し、蓋により開放される開口部を通じてバッテリーモジュール内のバッテリーを外部に露出させることにより、直管型ＬＥＤランプでバッテリーを交換し得る無停電直管型ＬＥＤランプを提供しようとする。【０００６】      本発明のまた他の実施例では、充放電可能なバッテリーを備えたバッテリーモジュールを直管型ＬＥＤランプ内に弾性的に挿入固定し、蓋によって開放される開口部を通じて直管型ＬＥＤランプ内でバッテリーモジュールを分離してバッテリーを交換する無停電直管型ＬＥＤランプを提供しようとする。【０００７】      本発明のまた他の実施例では、前述したバッテリーモジュールに搭載されてバッテリーの充放電を制御する第２の電源回路で常用電源を変換してＬＥＤ光源モジュールに駆動電圧を供給する第１の電源回路の給電状態または断電状態を検出し、停電状態でバッテリー電源をＬＥＤ光源モジュールに供給する無停電直管型ＬＥＤランプを提供しようとする。
【課題を解決するための手段】
【０００８】      上記技術的課題を解決するために、本発明の一側面による無停電直管型ＬＥＤランプは、半円柱状の放熱胴体と、放熱胴体の一面上のＬＥＤ光源モジュールと、円弧断面状を備え、ＬＥＤ光源モジュールを覆い、放熱胴体と結合して丸い棒状を形成する拡散カバーと、放熱胴体の中空部に収納され、ＬＥＤ光源モジュールに接続される駆動回路モジュールと、駆動回路モジュールに着脱可能に接続され、充放電可能なバッテリーを収納するバッテリーモジュールと、放熱胴体の長手方向の末端部に配置された電源入力端子を備えるランプソケットを含む。【０００９】      一実施例において、バッテリーモジュールは、放熱胴体の中空部に着脱可能に挿入され、バッテリーが着脱可能に収納される安着空間を備えるバッテリーケースと、バッテリーケースの安着空間に露出し、バッテリーが収納される時、バッテリーと電気的に接続されるバッテリー端子と、バッテリー端子と駆動回路モジュールを接続するバッテリー配線と、バッテリー配線の中間部分に配置され、バッテリー端子に接続される第１のコネクタ及び駆動回路モジュールに接続され、第１のコネクタと着脱可能に結合する第２のコネクタを備える配線コネクタを備える。【００１０】      一実施例において、バッテリー配線はバッテリー端子に接続される第１の配線と第２のコネクタに接続される第２の配線を備え、バッテリーモジュールは、第１の配線と第２の配線との間に配置され、バッテリーの充放電を制御する充放電制御回路をさらに備える。【００１１】      一実施例において、充放電制御回路は、第２の配線に印加される入力電圧または入力電流を感知するセンサを備え、センサに感知される入力電圧または入力電流が基準電圧または基準電流より小さい時、バッテリーの電源を駆動回路モジュールに供給するように動作する。【００１２】      一実施例において、バッテリーモジュールは、第２の配線の中間に直列接続されるバッテリー保護回路及びスィッチのうち少なくともいずれか一つをさらに備える。【００１３】      一実施例において、第１のコネクタ、充放電制御回路、バッテリー保護回路及びスィッチのうち、少なくともいずれか一つはバッテリーケースに一体に搭載される。【００１４】      一実施例において、ランプソケットは、電源入力端子を備えた第１のソケットと、放熱胴体で第１のソケットの反対側に位置する第２のソケットを備え、第２のソケットは電源入力端子と同一な形態のダミー端子を備え、バッテリーモジュールは第２のソケットと一体に結合する。【００１５】      本発明の他の側面による無停電直管型ＬＥＤランプは、半円柱状の放熱胴体と、放熱胴体の一面上のＬＥＤ光源モジュールと、円弧断面状を備え、ＬＥＤ光源モジュールを覆い、放熱胴体と結合して丸い棒状を形成する拡散カバーと、放熱胴体の中空部に収納され、ＬＥＤ光源モジュールに接続される駆動回路モジュールと、駆動回路モジュールに接続され、充放電可能なバッテリーを着脱可能に収納するバッテリーモジュールと、放熱胴体の長手方向の末端部に配置された電源入力端子を備えるランプソケットと、バッテリーを放熱胴体の外部に露出させる放熱胴体の開口部と、開口部を覆う蓋と、蓋を開口部上に固定する締結部材を含む。【００１６】      一実施例において、バッテリーモジュールは、放熱胴体の中空部に挿入されて固定され、バッテリーが着脱可能に収納される安着空間を備えるバッテリーケースと、バッテリーケースの安着空間に露出し、バッテリーが収納される時、バッテリーと電気的に接続されるバッテリー端子と、バッテリー端子と駆動回路モジュールを相互接続するバッテリー配線をさらに含む。【００１７】      一実施例において、締結部材は、開口部の縁部と蓋の縁部との間に挟まれる弾性部材を含む。【００１８】      一実施例において、蓋は第１の突起を備え、開口部の縁部に配置される放熱胴体の第１の溝と結合してヒンジ運動する。【００１９】      一実施例において、ランプソケットは、電源入力端子を備えた第１のソケットと、放熱胴体で第１のソケットの反対側に位置する第２のソケットを備え、第２のソケットは電源入力端子と同一な形態のダミー端子を備え、バッテリーモジュールは第２のソケットと一体に結合する。【００２０】      一実施例において、バッテリー配線がバッテリー端子に接続される第１の配線と第２のコネクタに接続される第２の配線を備え、バッテリーモジュールは、第１の配線と第２の配線との間に配置され、バッテリーの充放電を制御する充放電制御回路をさらに備える。【００２１】      一実施例において、充放電制御回路は、第２の配線に印加される入力電圧または入力電流を感知するセンサを備え、センサに感知される入力電圧または入力電流が基準電圧または基準電流より小さい時、バッテリーの電源を駆動回路モジュールに供給するように動作する。【００２２】      一実施例において、バッテリーモジュールは、第２の配線の中間に直列接続されるバッテリー保護回路をさらに備える。【００２３】      一実施例において、バッテリーモジュールは、放熱胴体の中空部に着脱可能に挿入されるバッテリーパックと、バッテリーパックと第１の配線を介して接続される充放電制御回路と、充放電制御回路と第２の配線を介して接続され、駆動回路モジュールの第２のコネクタと着脱可能に結合する第１のコネクタと、放熱胴体の中空部内でバッテリーパックを支持する固定部材を備える。【００２４】      一実施例において、固定部材はバッテリーパックを少なくとも部分的に取り囲む弾性部材を含み、弾性部材は放熱胴体の中空部とバッテリーパックとの間で弾性的に圧縮される。【００２５】      一実施例において、ランプソケットは、電源入力端子を備えた第１のソケットと、放熱胴体で第１のソケットの反対側に位置する第２のソケットを備え、第２のソケットは電源入力端子と同一な形態のダミー端子を備え、バッテリーパックは第２のソケットと一体に結合する。【００２６】      一実施例において、第２のソケットは、バッテリーパックを安着させるための安着空間を含む内部突出構造を備える。【００２７】      一実施例において、駆動回路モジュールは、電源入力端子とＬＥＤ光源モジュールに接続される第１の電源回路を含み、バッテリーモジュールは第１の電源回路からバッテリーに印加される入力電圧が基準電圧より小さい時、バッテリーの電源をＬＥＤ光源モジュールに供給する第２の電源回路を含む。
【発明の効果】
【００２８】      本発明によれば、充放電可能なバッテリーを収納するバッテリーモジュールを直管型ＬＥＤランプ内に着脱可能に設置し、直管型ＬＥＤランプからバッテリーモジュールを分離してバッテリーを簡便に交換する無停電直管型ＬＥＤランプを提供することができる。【００２９】      本発明の一実施例によれば、充放電可能なバッテリーを収納するバッテリーモジュールを直管型ＬＥＤランプ内に固定し、蓋により開放される開口部を通じてバッテリーモジュール内のバッテリーを外部に露出させることにより、直管型ＬＥＤランプでバッテリーを簡便に交換する無停電直管型ＬＥＤランプを提供する。【００３０】      本発明の一実施例によれば、充放電可能なバッテリーを備えたバッテリーモジュールを直管型ＬＥＤランプ内に弾性的に挿入固定し、蓋により開放される開口部を通じて直管型ＬＥＤランプ内でバッテリーモジュールを分離してバッテリーを効率よく交換する無停電直管型ＬＥＤランプを提供する。【００３１】      本発明の一実施例によれば、バッテリーモジュールに搭載され、バッテリーの充放電を制御する第２の電源回路で常用電源を変換してＬＥＤ光源モジュールに駆動電圧を供給する第１の電源回路の給電状態または断電状態を検出し、断電状態でバッテリー電源をＬＥＤ光源モジュールに供給する無停電直管型ＬＥＤランプを提供する。
【図面の簡単な説明】
【００３２】
【図１】本発明の一実施例による無停電直管型ＬＥＤランプの斜視図。
【図２】図１の無停電直管型ＬＥＤランプの部分分解斜視図。
【図３】図２の無停電直管型ＬＥＤランプの追加分解斜視図。
【図４ａ】図３のバッテリーモジュールの平面図。
【図４ｂ】図３のバッテリーモジュールの正面図。
【図４ｃ】図３のバッテリーモジュールの右側面図。
【図４ｄ】図３のバッテリーモジュールの左側面図。
【図５】図３の無停電直管型ＬＥＤランプの駆動回路に対する概路図。
【図６】図３の無停電直管型ＬＥＤランプに採用可能な放熱胴体の構造を説明するための部分斜視図。
【図７】図６の放熱胴体の分解斜視図。
【図８】図３の無停電直管型ＬＥＤランプに採用可能な放熱胴体の異なる構造に対する部分分解斜視図。
【図９】本発明のまた他の実施例による無停電直管型ＬＥＤランプの分解斜視図。
【発明を実施するための形態】
【００３３】      以下では、添付した図面を参照し、望ましい実施形態について詳しく説明する。ただし、実施形態を説明するにおいて、関連した公知機能あるいは構成に関する具体的な説明が本発明の要旨を不必要に糊塗すると判断される場合、それに関する詳しい説明は省略する。そして、図面において本発明を明確に説明するために、説明と関係のない部分は省略し、明細書の全体を通じて類似の部分については類似の図面符号を付けて説明する。
【００３４】      図１は、本発明の一実施例による無停電直管型ＬＥＤ（Ｌｉｇｈｔ−ＥＭＩｔｔｉｎｇ  Ｄｉｏｄｅ）ランプの斜視図である。図１を参照すれば、本実施例による無停電直管型ＬＥＤランプ（１０）は、既存の直管蛍光灯の形態を備え、既存の直管蛍光灯が用いられる照明器具に装着されて蛍光灯より優れた効率の照明を提供する。無停電直管型ＬＥＤランプ（１０）は、半円柱状の放熱胴体（１１）、ランプソケット（１４）、第１のソケット（１４１）、第２のソケット（１４２）及び拡散カバー（１５）を備える。第２のソケット（１４２）は、ダミー端子（１４４）と第２のホール（１４６）を備え、第２のホール（１４６）にはボルト（１４６ａ）が挿入されている。
【００３５】      また、無停電直管型ＬＥＤランプ（１０）は、停電時のように常用電源供給が遮断された場合、内蔵したリチウムイオンバッテリーを電源として自動点灯する。無停電直管型ＬＥＤランプ（１０）は、照明器具から分離して手に取って移動することが可能であり、バッテリーの容量によって約３時間以上を点灯することができる。
【００３６】      無停電直管型ＬＥＤランプ（１０）は、地下鉄、地下道、照明が必要な工場施設、エレベーター内部、非常階段、駐車場などの場所に設置可能であり、その場合、既存の蛍光灯に比べて消費全力を最大約６０％まで減少させ、ランプ交換周期をふやしてメンテナンス費用を節減し、紫外線及び赤外線の放出が少なくて魚類、皮革製品などに及ぼす損傷を減少し、虫が生ずることを防止し、放熱構造設計により無停電直管型ＬＥＤランプの光源で熱がほとんどなく取り扱いが容易な利点がある。このような利点によると、自然災害の発生の時、非常照明として有用に利用することができる。
【００３７】      特に、無停電直管型ＬＥＤランプ（１０）は、第２のソケット（１４２）を分離して簡便に内蔵バッテリーを交換するように構成される。このような構成について以下で詳しく説明する。
【００３８】      図２は、図１の無停電直管型ＬＥＤランプの部分分解斜視図である。図２を参照すれば、本実施例による無停電直管型ＬＥＤランプ（１０）は、放熱胴体（１１）、ＬＥＤ光源モジュール（１２）、バッテリーモジュール（１３）、ランプソケット（１４）及び拡散カバー（１５）を備える。ランプソケット（１４）は、第１のソケット（１４１）と第２のソケット（１４２）を備える。
【００３９】      放熱胴体（１１）は、断面が半円状である半円柱構造を備え、半円柱構造の内部に長手方向に沿って延びる中空部を備え、半円柱構造の円弧状の外表面が凹凸状を有する。凹凸状は、長手方向に沿って延び、互いに一定間隔離隔され、所定の高さを有する複数の扇状突起であり得る。このような扇状突起は、放熱胴体（１１）の表面積を増加させて放熱効果を高め、直管型ランプのグリップを良くする。
【００４０】      放熱胴体（１１）は、熱伝導性と耐久性に優れ、軽い材料で設けられる。放熱胴体（１１）の材質は、アルミニウムや同等の特殊材料あるいは複合材料であり得る。このような放熱胴体（１１）は、製造費の節減のために押出成形などの製造工程により作られ得る。
【００４１】      放熱胴体（１１）は、ランプソケット（１４）との結合のための内部凹凸スリット（１１８）と、拡散カバー（１５）との結合のための外部側面スリット（１１９）を備える。内部凹凸スリット（１１８）は、製造工程により中空部内で放熱胴体（１１）の長手方向の一端から一端の反対側である他端まで延びることができる。
【００４２】      ＬＥＤ光源モジュール（１２）は、放熱胴体（１１）の平らかな面上に配置される。ＬＥＤ光源モジュール（１２）は、ＬＥＤ（Ｌｉｇｈｔ−ＥＭＩｔｔｉｎｇ  Ｄｉｏｄｅ）チップが搭載されたＬＥＤパッケージ（１２２）と多数のＬＥＤパッケージ（１２２）が実装される印刷回路基板（１２４）を備える。
【００４３】      ＬＥＤチップは、電流を印加すれば、光を放出する光半導体素子の一種である。そして、ＬＥＤパッケージ（１２２）は、赤色、緑色、青色または白色の光を放出するＬＥＤチップの少なくともいずれか一つを備える。多数のＬＥＤパッケージ（１２２）は、無停電ＬＥＤランプの正格電圧や正格電流により所定の個数が電気的に直列または直並列に接続される。多数のＬＥＤパッケージ（１２２）の直列または直並列接続構造は、印刷回路基板（１２４）の導電性パターンの設計により具現されるが、これに限定されない。印刷回路基板（１２４）は、単一基板または複数の基板を接続線（１２６）やワイヤ・ボンディングを通じて電気的に接続した構造を有することができる。
【００４４】      ＬＥＤ光源モジュール（１２）は、配線（２０）を通じて放熱胴体（１１）の中空部に挿入される駆動回路モジュールに電気的に接続される。配線（２０）は、内部の導電性電線とこの電線を被覆する絶縁層を備えた絶縁電線である。
【００４５】      ＬＥＤ光源モジュール（１２）が放熱胴体（１１）の一面上の第１の領域に配置される時、放熱胴体（１１）の一面上の第１の領域以外の第２の領域には反射層（１２７）が配置されることができる。反射層（１２７）は、コーティング層やフィルム状の白色素材や反射材料として具現される。このような反射層（１２７）は、ＬＥＤ光源モジュール（１２）から出射して放熱胴体（１１）にぶつかる光が放熱胴体（１１）上で効果的に反射して拡散カバー（１５）に進めるようにし、これにより照明の効率を向上させる。
【００４６】      バッテリーモジュール（１３）は、無停電ＬＥＤランプでバッテリーを着脱可能に収納するための構成部である。バッテリーモジュール（１３）は、放熱胴体（１１）の長手方向における一端部で放熱胴体（１１）の中空部に挿入される。本実施例においてバッテリーモジュール（１３）は放熱胴体（１１）と着脱可能に結合される。
【００４７】      前述したバッテリーモジュール（１３）によると、バッテリーの寿命を尽くした場合やバッテリー交換周期にバッテリーモジュール（１３）を放熱胴体（１１）から分離し、バッテリーモジュール（１３）に安着されているバッテリーを交換した後、バッテリーモジュール（１３）を再び放熱胴体（１１）の中空部に挿入することにより、バッテリーの寿命を延ばし、無停電ＬＥＤランプの機能を効率よく維持することができる。
【００４８】      ランプソケット（１４）は、放熱胴体（１１）の一面上に配置されたＬＥＤ光源モジュール（１２）を覆うように放熱胴体（１１）に拡散カバー（１５）を結合した後、放熱胴体（１１）と拡散カバー（１５）により形成される丸い棒状の構造物（以下、丸い棒状構造物）の長手方向にその両端に結合する。ランプソケット（１４）は、放熱胴体（１１）と拡散カバー（１５）の一部分を覆うように配置される。
【００４９】      本実施例において、ランプソケット（１４）は、丸い棒状構造物の長手方向に一方の末端部に配置され、一対の電源入力端子を備える第１のソケット（１４１）と、放熱胴体（１１）を介在し、第１のソケット（１４１）が位置した末端部の反対側の末端部に配置され、ダミー端子を備える第２のソケット（１４２）で構成される。
【００５０】      第１のソケット（１４１）は、ソケットの内部から外部に突出される電源入力端子（１４３）と、放熱胴体（１１）との結合のために外部からボルト（またはネジ）が挿入される第１のホール（１４５）を備える。そして、第２のソケット（１４２）は、ソケットの内部から外部に突出されるダミー端子（１４４）と、放熱胴体（１１）との結合のために、外部からボルト（またはネジ）が挿入される第２のホール（１４６）を備える。
【００５１】      本実施例において第１のソケット（１４１）の電源入力端子（１４３）は、放熱胴体（１１）の中空部に挿入されている駆動回路モジュールの一対の電源引入線（図示せず）に接続される。電源入力端子（１４３）は、蛍光灯などの照明器具のソケットに挿入されて常用電源が印加される。電源入力端子（１４３）は、ソケット規格、例えば、二つの端子を備えるＧ１３により具現され得る。
【００５２】      また、本実施例において、第２のソケット（１４２）は、駆動回路モジュールと電気的に接続されずにバッテリーモジュール（１３）と一体に形成される。図２では、説明の便宜上、分離して示されているが、実際に、第２のソケット（１４２）は無停電直管型ＬＥＤランプの組立時に突起や溝などの結合構造あるいは接着剤などの接合手段によりバッテリーモジュール（１３）と一体に形成されることができる。
【００５３】      上述した第２のソケット（１４２）とバッテリーモジュール（１３）の一体型構造によると、通常、ＬＥＤチップの寿命の１／２以下の寿命を有するバッテリーの交換時点に照明器具からＬＥＤランプを分離した後、第２のソケット（１４２）上のボルトを解除し、第２のソケット（１４２）を引っ張って放熱胴体（１１）から第２のソケット（１４２）とバッテリーモジュール（１３）を抜き取った後、バッテリーモジュール（１３）に挿入されているバッテリーを簡便に交換し、逆順に放熱胴体（１１）にバッテリーモジュール（１３）と第２のソケット（１４２）を挿入し、ボルトを締結した後、無停電直管型ＬＥＤランプを照明器具に装着して用いることができる。
【００５４】      拡散カバー（１５）は、放熱胴体（１１）に対応する円弧断面状を備え、ＬＥＤ光源モジュール（１２）を覆って放熱胴体（１１）と結合して放熱胴体（１１）と共に丸い棒状を形成する。例えば、丸い棒状の直径は３０ｍｍであり、その長さは１１９８ｍｍであり得る。
【００５５】      拡散カバー（１５）は、円弧断面状の両側の縁部で折曲部により折れた一対の羽部（１５１，１５２）を備える。一対の羽部（１５１，１５２）は、放熱胴体（１１）の外部の側面スリット（１１９）に弾性的に挿入され、放熱胴体（１１）上に拡散カバー（１５）を堅く固定する。
【００５６】      拡散カバー（１５）は、既存の蛍光灯より志向性が強い光を放出するＬＥＤパッケージ（１２２）の光源イメージや直進光（Ｈｏｔ  Ｓｐｏｔ）が外部に伝達されて使用者の眼に入らないように機能する。拡散カバー（１５）は、光源イメージが外部にある程度表示される高透過タイプ、光源のイメージが外部に薄暗く表示される中拡散タイプ、または光源イメージが外部に全く表示されない高拡散タイプであり得る。このような拡散カバー（１５）は、アクリル、ポリカーボネートなどの材料を用いて製造され、具現により無機粒子がその内部に分散配置されることができる。
【００５７】      本実施例によると、無停電直管型ＬＥＤランプに対する信頼性を高め、ＬＥＤチップの寿命に準ずる無停電直管型ＬＥＤランプの寿命を確保することができるだけでなく、効率の良いメンテナンス構造を通じてメンテナンス時間と費用を節減することができる利点がある。
【００５８】      図３は、図２の無停電直管型ＬＥＤランプに対する追加分解斜視図である。図３を参照すれば、本実施例による無停電直管型ＬＥＤランプ（１０）は、放熱胴体（１１）、ＬＥＤ光源モジュール（１２）、バッテリーモジュール（１３）、第１のソケット（１４１）、第２のソケット（１４２）、拡散カバー（１５）、駆動回路モジュール（１６）及びバッテリーモジュール（１８）を含む。
【００５９】      放熱胴体（１１）、ＬＥＤ光源モジュール（１２）、バッテリーモジュール（１３）、第１のソケット（１４１）、第２のソケット（１４２）及び拡散カバー（１５）に対する詳細説明は、図２の説明との重複を避けるために省略する。
【００６０】      駆動回路モジュール（１６）は、放熱胴体（１１）の中空部に挿入され、第１のソケット（１４１）とＬＥＤ光源モジュール（１２）に電気的に接続される。駆動回路モジュール（１６）は、電源回路及びＬＥＤ駆動回路を含む。電源回路は、常用電源を変換して所定の電圧及び電流をＬＥＤ駆動回路に供給し、ＬＥＤ駆動回路は、ＬＥＤ光源モジュール（１２）の動作を制御する。このような駆動回路モジュール（１６）については、図５の駆動回路の説明によりさらに詳しく説明する。
【００６１】      駆動回路モジュール（１６）は、放熱胴体（１１）の中空部に挿入される時、放熱胴体（１１）の絶縁性を高めるために、絶縁性フィルム（１７）により包装され得る。絶縁性フィルム（１７）の素材は、絶縁性と柔軟性を有すれば、特別に限定されない。
【００６２】      バッテリーモジュール（１８）は、駆動回路モジュール（１６）に着脱可能に接続され、常用電源の断絶時（例えば、停電時）、ＬＥＤ光源モジュール（１２）に電源を供給する。バッテリーモジュール（１８）と駆動回路モジュール（１６）との間を接続する配線は、バッテリーモジュール（１８）を放熱胴体（１１）から完全に分離するように延びる長さを有する。
【００６３】      本実施例において、バッテリーモジュール（１８）は、駆動回路モジュール（１６）に接続された第２のコネクタ（１８４ｂ）と、第２のコネクタ（１８４ｂ）に着脱可能に結合し、バッテリーモジュール（１８）に具備される第１のコネクタ（１８４ａ）を分離した状態で示されている。
【００６４】      バッテリーモジュール（１８）は、バッテリーケース（１８１）、バッテリー端子（１８２）、充放電制御回路（１８３）、配線コネクタ（１８４）、バッテリー保護回路（１８５）、スィッチ（１８６）（以下、外部スィッチ）及びバッテリー配線（２０ａ，２０ｂ，２０ｃ）を備える。このようなバッテリーモジュール（１８）の詳細構成は次の通りである。
【００６５】      図４ａは図３のバッテリーモジュールの平面図であり、図４ｂは図３のバッテリーモジュールの正面図であり、図４ｃは図３のバッテリーモジュールの右側面図であり、図４ｄは図３のバッテリーモジュールの左側面図である。図５は図３の無停電直管型ＬＥＤランプの駆動回路に対する概路図である。図４ａ〜４ｄ及び図５を参照すれば、バッテリーケース（１８１）は、バッテリーが着脱可能に収納される安着空間（１８１ａ）を備えた半円筒状の胴体（１８１１）と、胴体（１８１１）の長手方向の一端に胴体（１８１１）と一体に形成される平らかなヘッド部（１８１２）と、胴体（１８１１）の一端の反対側である他端に胴体（１８１１）と一体に形成される接続部（１８１３）を備える。安着空間（１８１ａ）は、胴体（１８１１）の残りの部分に比べて凹んだ部分である。バッテリーケース（１８１）は射出成形されるプラスチック材質で具現されることができる。
【００６６】      バッテリーケース（１８１）において、ヘッド部（１８１２）は、胴体（１８１１）と接続部（１８１３）が放熱胴体の中空部に挿入される時、放熱胴体の一端にかかって中空部に挿入されない。このように、ヘッド部（１８１２）は、胴体（１８１１）や接続部（１８１３）より大きい面積を有する。
【００６７】      バッテリーケース（１８１）と第２のソケットの一体化された構造は、少なくとも一つ以上のバッテリーやバッテリーパック（図９の３０ａを参照）を安着させるために、所定の安着空間を有する突出構造を第２のソケット（図２の１４２を参照）の内部に一体に形成することと実質的に同一であり得る。
【００６８】      バッテリー端子（１８２）は、バッテリーケース（１８１）の安着空間（１８１ａ）に露出され、バッテリーが収納される時、バッテリーと電気的に接続される。バッテリー端子（１８２）は、バッテリーの陽極（＋）電極に接続される第１の端子（１８２１）と、バッテリーの陰極（−）電極に接続される第２の端子（１８２２）を備える。
【００６９】      バッテリー端子（１８２）は、直列接続される複数のバッテリーの両端に第１の端子（１８２１）と第２の端子（１８２２）が配置される構造に加えて複数のバッテリーのうち、隣接した二つのバッテリーの正極と負極に共通接続される少なくとも一つの第３の端子（図５の１８２３）をさらに備えることができる。第３の端子（１８２３）を用いれば、充放電制御回路（１８３）を通じて個々のバッテリーの充放電状態により各バッテリーを制御することが可能であるため、直列接続される複数のバッテリーのうちいずれか一つの性能低下により全体バッテリーの性能や寿命が急速に低下することを防止することができ、それにより、バッテリーの効率や寿命を最大に維持することができる利点がある。
【００７０】      充放電制御回路（１８３）は、バッテリーの充放電を制御し、バッテリーの過充電、過放電、過電流、合線を検出し、このような正常でない状態からバッテリーを保護するための保護回路を含む。保護回路は、保護ＩＣ（Ｉｎｔｅｇｒａｔｅｄ  Ｃｉｒｃｕｉｔ）と、ＦＥＴ（Ｆｉｅｌｄ  Ｅｆｆｅｃｔ  Ｔｒａｎｓｉｓｔｏｒ）などの制御スィッチで具現されることができる。このような保護回路は、リチウムイオンバッテリーの保護回路の技術分野にもうよく知られているため、追加的な詳細説明は省略する。
【００７１】      本実施例において、充放電制御回路（１８３）は、第１の配線（図５の２０ａ）を通じて第１の端子（１８２１）、第２の端子（１８２２）及び第３の端子（図５の１８２３）に接続される。そして、充放電制御回路（１８３）は、第２の配線（図５の２０ｂ）を通じて配線コネクタ（図５の１８４）に接続される。充放電制御回路（１８３）は、駆動回路モジュールの入力電圧や電流が基準値より小さい時に停電状態と判断し、内部スイチング回路を作動させてバッテリーの電源をＬＥＤ駆動回路に供給する。
【００７２】      配線コネクタ（図５の１８４）は、駆動回路モジュールにおいてバッテリーモジュールを着脱可能に結合するための手段である。配線コネクタ（１８４）は、充放電制御回路（１８３）に接続された第２の配線（２０ｂ）の末端部に配置される第１のコネクタ（１８４ａ）と駆動回路モジュールに接続された第３配線（図５の２０ｃ）の末端部に配置され、第１のコネクタ（１８４ａ）と着脱可能に結合する第２のコネクタ（図５の１８４ｂ）を備える。
【００７３】      第１のコネクタ（１８４ａ）は、バッテリーケース（１８１）の接続部（１８１３）の末端部に一体に配置される。第１のコネクタ（１８４ａ）は、第１の端子（１８４１）及び第２の端子（１８４２）を備える。このような第１のコネクタ（１８４ａ）は、第２のコネクタ（１８４ｂ）との結合や分離が容易であり、バッテリーモジュールやバッテリー交換に対する作業効率を向上させるように機能する。
【００７４】      バッテリー保護回路（１８５）は、一対の第２の配線（２０ｂ）のうち、一つの配線中間に配置される。バッテリー保護回路（１８５）は、ヒューズで具現されることができる。
【００７５】      外部スィッチ（１８６）は、一対の第２の配線（２０ｂ）のうち、残りの一つの配線中間に配置される。外部スィッチ（１８６）は、バッテリーモジュール（１８）上に露出され、使用者の操作により第２の配線（２０ｂ）の電気的な導電性を維持または断絶させるように機能する。このような外部スィッチ（１８６）によれば、数時間の相対的に少ない使用時間を有するバッテリー電源を選択的に用いるようにすることで自然災害などの各種事故発生時に無停電直管型ＬＥＤランプをスィッチ操作による間歇的な非常照明として用いることにより、その使用時間を数十時間まで延ばす効果を得ることができる。
【００７６】      バッテリー配線は、前述した第１の配線（２０ａ）、第２の配線（２０ｂ）及び第３配線（２０ｃ）を含む。バッテリー配線は、バッテリーモジュールに用いられる配線として絶縁電線が用いられるが、これに限定されない。
【００７７】      本実施例において、充放電制御回路（１８３）、第１のコネクタ（１８４ａ）、バッテリー保護回路（１８５）、外部スィッチ（１８６）及びバッテリー配線はバッテリーケース（１８１）に一体に配置される。このような一体化した構造を用いれば、放熱胴体からバッテリーモジュールを分離してバッテリーを簡便に交換することができるだけではなく、バッテリーモジュールの故障時に第１のコネクタと第２のコネクタの分離構造によりバッテリーモジュールを新たなバッテリーモジュールで簡単に交換することができ、それにより無停電直管型ＬＥＤランプの信頼性と寿命を容易に確保して維持することができる利点がある。
【００７８】      一方、本実施例において外部スィッチ（１８６）をバッテリーケース（１８１）の接続部（１８１３）に一体に形成した構造を例示したが、本発明は、そのような構成に限定されず、本実施例の変形例において外部スィッチがバッテリーケース（１８１）のヘッド部（１８１２）に搭載され、第２のソケットの開口部を通じて外部に露出する形態で具現されることができる。その場合、使用者は外部スィッチの操作のためのバッテリーモジュール（１８）を分離する必要なしに蛍光灯の外部でスィッチを簡単に操作してバッテリー電源による照明動作のオンオプを制御する使用便宜性を有することができる。
【００７９】      図５を参照すると、本実施例による無停電直管型ＬＥＤランプの駆動回路は、電源回路（１６０）、ＬＥＤ駆動回路（１６６）及び充放電制御回路（１８３）を含む。電源回路（１６０）とＬＥＤ駆動回路（１６６）は第１の電源回路に対応し、充放電制御回路（１８３）は第２の電源回路に対応する。
【００８０】      電源回路（１６０）は、保護回路、ＥＭＩ（Ｅｌｅｃｔｒｏｍａｇｎｅｔｉｃ  Ｉｎｔｅｒｆｅｒｅｎｃｅ）フィルター、共振型トランスフォーマー（１６４）、整流回路（１６５）及び平滑回路を備える。
【００８１】      保護回路は、常用入力交流電源（例えば、約８５Ｖ〜２６５Ｖ）で過電流を遮断し、過電圧、サージ電圧などの異常電圧を一定電圧以下に降圧するためのものであり、配電用ヒューズ（１６１）とＴＶＳ（Ｔｒａｎｓｉｔｉｏｎ  Ｖｏｌｔａｇｅ  Ｓｕｐｐｒｅｓｉｏｎ）素子（１６２）で具現されることができる。ＴＶＳ素子（１６２）は、金属酸化物バリスタ（ＭＯＶ：Ｍｅｔａｌ  Ｏｘｉｄｅ  Ｖａｒｉｓｔｏｒ）などで具現されることができる。
【００８２】      ＥＭＩフィルターは、正常動作中に常用入力交流電源上の雑音信号を減少させ、正常でない動作中にサージパルスの大きさを減少させるためのものであり、電源入力端子側から見ると、保護回路の後段に接続されて常用入力交流電源の二つの電源線のいずれもで雑音を減少させる共通モードチョーク（Ｃｏｍｍｏｎ  Ｍｏｄｅ  Ｃｈｏｋｅ）と共通モードチョーク（１６３）の出力側の両端に並列接続される第１のキャパシタ（Ｃ１）で具現されることができる。
【００８３】      共振型トランスフォーマー（１６４）は、入力端の電源回路と出力端の電源回路を分離し、電源回路の出力電圧や電流が入力端により影響を受けることを遮断するためのものであり、ＥＭＩフィルターの後段に接続される１次巻線と１次巻線に自己結合する２次巻線で具現される。
【００８４】      整流回路（１６５）は、交流電源を変換して直流電源を生成するためのものであり、共振型トランスフォーマー（１６４）の後段に接続される。整流回路（１６５）は、４個のダイオード素子を電波整流用ダイオードブリッジの形態で配置したり、このような構造を単一素子で具現したブリッジダイオードなどで具現されることができる。
【００８５】      平滑回路は、整流回路（１６５）から出力される脈流波形の直流電源を平滑直流に変換する。平滑回路は、整流回路（１６５）の後段に直列接続される第１のインダクター（Ｌ１）と、整流回路（１６５）の後段に並列接続される第２のキャパシタ（Ｃ２）と、第１のインダクター（Ｌ１）と第２のキャパシタ（Ｃ２）の組合せ回路に並列接続される第３キャパシタ（Ｃ３）で具現されることができる。
【００８６】      ＬＥＤ駆動回路（１６６）は、電源回路（１６０）から出力される入力電源を受け、ＬＥＤ光源モジュール（１２）で要求する順方向電圧に対応する駆動電圧を出力する。ＬＥＤ駆動回路（１６６）は、ＬＥＤ光源モジュール（１２）の動作を制御するためのものであり、ＬＥＤ光源モジュール（１２）のフィードバック信号を所定の基準信号と比べて駆動電圧を制御するように具現されることができる。その場合、無停電直管型ＬＥＤランプの効率を高め、力率を改善することが可能である。
【００８７】      また、ＬＥＤ駆動回路（１６６）は、電源回路の入力電圧を充放電制御回路（１８３）に供給し、電源回路の入力電圧供給が切られた場合に、充放電制御回路（１８３）を通じてバッテリーから電源の供給を受け、バッテリー電源でＬＥＤ光源モジュール（１２）を駆動するように具現される。ＬＥＤ駆動回路（１６６）は、単一駆動チップの形態で具現されることができる。
【００８８】      充放電制御回路（１８３）は、ＬＥＤ駆動回路（１６６）に接続され、ＬＥＤ駆動回路（１６６）から受けた入力電源でバッテリー（３０）を充電する。もちろん、バッテリー（３０）が満充電の状態である時、充放電制御回路（１８３）は、ＬＥＤ駆動回路（１６６）の入力電源がバッテリー（３０）に印加されることを遮断するように具現されることができる。また、充放電制御回路（１８３）は、センサ（１８３ａ）を通じてＬＥＤ駆動回路（１６６）の入力電圧を感知している途中、入力電圧が基準電圧より小さい時、バッテリー（３０）の電源をＬＥＤ駆動回路（１６６）に供給する。センサ（１８３ａ）は、電圧分配により所定地点の電圧を検出する電圧分配回路を含めて構成されることができる。
【００８９】      前述したバッテリー（３０）は、サイズ１２Ｖ１２００ｍＡｈ〜２４００ｍＡｈ、緩衝時間約１０時間、緩衝回数５００回以上、過充電及び過放電保護回路内蔵、バッテリー使用時間数時間（例えば、約１時間〜４時間）であることが用いられる。このようなバッテリー（１８１）は、周囲温度、充電電流、放電頻度、放電時間などによりその寿命に差があるが、おおよそ４年程度の使用期間を有することができる。
【００９０】      バッテリー（１８１）の寿命が短くないにもかかわらず、無停電直管型ＬＥＤランプの寿命に比べると、バッテリー（１８１）の寿命は約１／５に過ぎない。したがって、本実施例においては、前述したカートリッジ形態のバッテリーモジュールを通じてバッテリーを簡便に交換する無停電直管型ＬＥＤランプを提供する。すなわち、本実施例の無停電直管型ＬＥＤランプは、通常の時には常用電源を用いてＬＥＤ光源を点灯し、停電の時にはバッテリー電源を用いてＬＥＤ光源を点灯しながら無停電直管型ＬＥＤランプの実質的寿命がＬＥＤチップに準ずる寿命を維持するように具現される。
【００９１】      前述した実施例によると、停電の時に４２０  Ｌｍの明るさで約１．５  時間以上を点灯する無停電直管型ＬＥＤランプを提供することができる。特に、外部スィッチ（１８６）でＬＥＤ光源モジュール（１２）を間歇的に作動する場合、無停電直管型ＬＥＤランプを４時間以上用いることが可能である。
【００９２】      無停電直管型ＬＥＤランプの仕様を例示すれば、次の表１の通りである。
【００９３】
【表１】
2015220222.tif 000003
2015220222.tif 000004
【００９４】      前述した実施例では、放熱胴体にバッテリーモジュールを着脱式で結合する構造を有する無停電直管型ＬＥＤランプについて説明したが、本発明は、そのような構成に限定されず、バッテリーモジュールが放熱胴体に挿入された状態で固定されるように具現されることができる。その場合の実施例を以下で説明する。
【００９５】      図６は、図３の無停電直管型ＬＥＤランプに採用可能な放熱胴体の構造を説明するための部分斜視図である。図７は、図６の放熱胴体の分解斜視図である。図６及び図７を参照すれば、本実施例による無停電直管型ＬＥＤランプは放熱胴体（１１）の開口部（１１１）、開口部（１１１）を覆う蓋（１１２）及びこれらの間の弾性部材（１１３）を備え、蓋（１１２）の開放時に放熱胴体（１１）の中空部に挿入されているバッテリーを放熱胴体（１１）の外部に露出させて簡便に交換するように具現される。
【００９６】      開口部（１１１）は、上記で説明したバッテリーモジュールが挿入される部分に対応する位置に設けられる。開口部（１１１）は、半円柱状の放熱胴体（１１）中の一定の長さの部分で円弧部分の少なくとも一部分が除去された正方形のウィンドウの形態を備える。放熱胴体（１１）の長手方向から開口部（１１１）の長さは、現在、一般に用いられている円筒状リチウムイオンバッテリー（例えば、ＡＡまたはＡＡＡサイズなど）の一つの長さより大きく、所定個数（例えば、３個）が直列接続された長さと類似または、それより小さくてもよい。
【００９７】      蓋（１１２）は、開口部（１１１）と類似の模様及び大きさを備える。放熱胴体（１１）は放熱効果を高め、グリップを良くするために表面に適切な凹凸構造を備えるが、蓋（１１２）も放熱胴体（１１）と同一な形態の凹凸構造を備えることができる。
【００９８】      本実施例において、蓋（１１２）は、弾性部材（１１３）を介して開口部（１１１）を覆うように設けられる。したがって、蓋（１１２）は、開口部（１１１）の縁部に比べて所定の間隔で内側に離隔された縁部（または大きさ）を有するように設計される。
【００９９】      蓋（１１２）は、放熱胴体（１１）と同一な材料で具現されることができるが、これに限定されない。同一な材料で形成すれば、直管形態のランプで開口部の領域に実質的に同一な見掛けや質感を提供することができる。
【０１００】      弾性部材（１１３）は、別途の固定手段を用いずに放熱胴体（１１）の開口部（１１１）に蓋（１１２）を着脱可能に設置しながら安定に固定するためのものである。弾性部材（１１３）は、蓋（１１２）の外側の縁部（１１２ａ）を完全に取り囲むリング状を有することができるが、これに限定されない。例えば、弾性部材（１１３）は、閉曲線のリング状で一部分が少し切断されて所定の離隔を有する類似リング状を有することができる。
【０１０１】      本実施例の弾性部材（１１３）は、蓋（１１２）の外側の縁部（１１２ａ）が挿入される第１の溝（１１３ａ）と、開口部（１１１）の内側の縁部（１１１ａ）が挿入される第２の溝（１１３ｂ）の少なくともいずれか一つを備える。第１の溝（１１３ａ）と第２の溝（１１３ｂ）の断面形象や深さは開口部（１１１）の大きさや模様に応じて、あるいは弾性部材の材料に応じて適切に設計されることができる。
【０１０２】      本実施例によれば、放熱胴体の中空部にバッテリーモジュールを固定的に装着した後、バッテリーを初めて挿入するか、またはバッテリーを交換する時、一定の力以上に蓋や弾性部材を引っ張って開口部から蓋を分離し、バッテリーを装着あるいは交換した後、弾性部材が挟まれた蓋を開口部の上に載せて押すことにより、簡便にバッテリーを装着または交換することができる。
【０１０３】      また、本実施例によれば、図３〜５の配線コネクタを省略し、バッテリーモジュールと駆動回路モジュールを直接接続することのが可能であり、それにより部品の本数を減らし、費用を節減することができる。
【０１０４】      図８は、図３の無停電直管型ＬＥＤランプに採用可能な放熱胴体の異なる構造に対する部分分解斜視図である。図８を参照すれば、本実施例による無停電直管型ＬＥＤランプは、放熱胴体（１１）の開口部（１１１）、開口部（１１１）を覆う蓋（１１２）及びこれらの間の弾性部材（１１３）を備え、放熱胴体（１１）にヒンジ結合されている蓋（１１２）を開放し、放熱胴体（１１）の中空部（１１ａ）に挿入されているバッテリー胴体のバッテリーを簡便に交換するように具現される。
【０１０５】      本実施例の無停電直管型ＬＥＤランプは蓋（１１２）と放熱胴体（１１）がヒンジ結合のための構造を備えることを除いて図６及び図７を参照して前で説明した無停電直管型ＬＥＤランプの構造と同一であり得る。
【０１０６】      ヒンジ結合のための構造の例示として、放熱胴体（１１）は、開口部（１１１）の一方と一方の反対側である他側に一対の第１の溝（１１１ｂ）を備える。蓋（１１２）は、開口部（１１１）を覆うように配置される時、一対の第１の溝（１１１ｂ）と対向する二つの側面の所定位置に一対の第１の突起（１１２ｂ）を備える。第１の突起（１１２ｂ）は第１の溝（１１１ｂ）に挿入され、蓋（１１２）が放熱胴体（１１）に対してヒンジ運動するように機能する。
【０１０７】      また、ヒンジ結合のための構造の補完的な要素として、開口部（１１１）の一側の縁部で放熱胴体（１１）と蓋（１１２）の間に介在される弾性部材（１１３）をさらに備えることができる。本実施例の弾性部材（１１３）は、第１の溝（１１３ａ）及び／または第２の溝（１１３ｂ）を備え、蓋（１１２）の縁部を取り囲むリング状と異なり、蓋（１１２）の一方の縁部に配置される棒状（あるいはＨ−ビーム状）を有する。
【０１０８】      本実施例によれば、放熱胴体の中空部に挿入されるバッテリーモジュールを用いてバッテリーを装着する時、半円柱状の放熱胴体にヒンジ結合構造を有する蓋を用いて簡便にバッテリーモジュールを放熱胴体の外部に露出させてバッテリーを装着または交換することができる。
【０１０９】      一方、前述した実施例の蓋固定構造以外にネジなどの締結手段を用いて開口部を覆う蓋を放熱胴体に固定することが可能であり、このような多様な固定構造は、前述した第２の電源回路で第１の電源回路の入力電圧を感知してバッテリー電源をＬＥＤ光源モジュールに供給する構成と、後述するバッテリーパックの固定構造とともに本発明の実施例の変形例に適切に採用され得る。
【０１１０】      また一方、前述した実施例では、バッテリーモジュールを放熱胴体に着脱式で結合したり、固定式で結合する構造を有する無停電直管型ＬＥＤランプについて説明したが、本発明は、そのような構成に限定されず、バッテリーケースを省略したバッテリーモジュールが放熱胴体の中空部に着脱式で挿入固定されるように具現されることができる。このような場合に対する実施例を以下で説明する。
【０１１１】      図９は、本発明のまた他の実施例による無停電直管型ＬＥＤランプの分解斜視図である。図９を参照すれば、本実施例による無停電直管型ＬＥＤランプ（１０ａ）は、放熱胴体（１１）、ＬＥＤ光源モジュール（１２）、バッテリーモジュール（１３）、ランプソケット（１４）、拡散カバー（１５）、駆動回路モジュール（１６）及びバッテリーモジュール（１８ａ）を含む。
【０１１２】      本実施例の無停電直管型ＬＥＤランプ（１０ａ）において、放熱胴体（１１）、ＬＥＤ光源モジュール（１２）、バッテリーモジュール（１３）、ランプソケット（１４）、拡散カバー（１５）及び駆動回路モジュール（１６）は、図１〜３を参照して前で説明した無停電直管型ＬＥＤランプ（１０）の対応構成要素と実質的に同一である。特に、放熱胴体（１１）は、図７または図８の開口部と蓋の構造を備える。図９では、放熱胴体の図示の便宜上、省略されている。
【０１１３】      本実施例において、バッテリーモジュール（１８ａ）は，バッテリーパック（３０ａ）、充放電制御回路（１８３）、センサ（１８３ａ）、配線コネクタ（１８４）、バッテリー保護回路（１８５）、バッテリー配線（２０ａ、２０ｂ、２０ｃ）及び固定部材（４０）を備える。
【０１１４】      充放電制御回路（１８３）、センサ（１８３ａ）、配線コネクタ（１８４）、バッテリー保護回路（１８５）及びバッテリー配線（２０ａ、２０ｂ、２０ｃ）は図１〜３を参照し、前で説明した無停電直管型ＬＥＤランプ（１０）のバッテリーモジュールの対応構成要素と実質的に同一であるため、それらに対する詳細説明は省略する。
【０１１５】      バッテリーパック（３０ａ）は、少なくとも一つ以上の充放電可能なバッテリーをバッテリーの正極と負極に接触する端子（例えば、第１の端子、第２の端子、第３の端子）とともにフィルムで圧搾包装されたものを称する。バッテリーパック（３０ａ）に結合された端子は、第１の配線（２０ａ）を通じて充放電制御回路（１８３）に接続される。このようなバッテリーパック（３０ａ）は、バッテリーの体積と類似の体積を有するため、小型化及び軽量化に有利である。
【０１１６】      固定部材（４０）は、バッテリーパック（３０ａ）が配線コネクタ（１８４）により駆動回路モジュール（１６）から着脱可能に設置される時、バッテリーパック（３０ａ）を放熱胴体（１１）の中空部（１１ａ）に固定して挿入するためのものである。固定部材（４０）は、バッテリーパック（３０ａ）の少なくとも一部分を部分的に囲むように配置される。例えば、固定部材（４０）は丸い棒状のバッテリーパック（３０ａ）をリング状で囲んだり、サンドイッチ状に囲んだり、螺旋状に囲むように配置されることができる。このような構成によれば、バッテリーパック（３０ａ）が放熱胴体（１１）の中空部（１１ａ）に挿入される時、バッテリーパック（３０ａ）は、バッテリーパック（３０ａ）と中空部（１１ａ）の内壁の間に配置される固定部材（４０）の弾性力により中空部（１１ａ）内に固定的に挿入されることができる。
【０１１７】      本実施例によれば、無停電直管型ＬＥＤランプで開口部及び蓋の構造とともに簡素化されたバッテリーモジュール（１８ａ）を用いて放熱胴体の中空部内にバッテリーを固定的に挿入することができるだけでなく、開口部を通じてバッテリーの交換を簡便かつ効率よく行うことができる。
以上のように、実施例を中心に本発明を説明したが、これは、単純な例示に過ぎず、本発明を限定するわけではなく、本発明が属する分野の通常の知識を有する者であれば、本実施例の本質的な技術内容を逸脱しない範囲で実施例に例示されていない種々の組み合わせまたは変形と応用が可能であることが分かるものである。したがって、本発明の実施例から容易に導出可能な変形と応用に係る技術内容は、本発明に含まれるものと解釈されるべきである。
【符号の説明】
【０１１８】      １０、１０ａ：無停電直管型ＬＥＤランプ
１１：放熱胴体
１２：ＬＥＤ光源モジュール
１３：バッテリーモジュール
１４：ランプソケット
１５：拡散カバー
１６：駆動回路モジュール
１７：絶縁性フィルム
１８、１８ａ：バッテリーモジュール
２０：配線
３０：バッテリー
３０ａ：バッテリーパック
１１８：内部凹凸スリット
１１９：外部側面スリット
１２２：ＬＥＤパッケージ
１２４：印刷回路基板
１２６：接続線
１２７：反射層
１４１：第１のソケット
１４２：第２のソケット
１４３：電源入力端子
１４４：ダミー端子
１４５、１４６：ホール
１５１、１５２：羽部
【図１】
2015220222.tif 000005
【図２】
2015220222.tif 000006
【図３】
2015220222.tif 000007
【図４ａ】
2015220222.tif 000008
【図４ｂ】
2015220222.tif 000009
【図４ｃ】
2015220222.tif 000010
【図４ｄ】
2015220222.tif 000011
【図５】
2015220222.tif 000012
【図６】
2015220222.tif 000013
【図７】
2015220222.tif 000014
【図８】
2015220222.tif 000015
【図９】
2015220222.tif 000016